(57)【要約】  本発明は、パルス紫外線を用いた水処理装置に関し、より詳しくは高出力、高透過性パルス紫外線を放出するパルス紫外線ランプを用いた水処理装置に関する。本発明に係る水処理装置は、パルス紫外線を放出する紫外線ランプを使用することにより、従来の連続的な紫外線ランプに比べてランプの出力が高くて紫外線の透過長さが長いため、浄水場または濁度の非常に高い廃水処理場で有用に使用できる。
2010510873.tif 000002
【特許請求の範囲】
【請求項１】
高出力高透過性パルス紫外線を発生させる紫外線ランプを用いて水を処理することを特徴とする、水処理方法。
【請求項２】
前記パルス紫外線はパルス波形の電源を紫外線ランプに印加して発生させることを特徴とする、請求項１に記載の水処理方法。
【請求項３】
前記紫外線ランプは１００〜１０００ｔｏｒｒで充填されることを特徴とする、請求項２に記載の水処理方法。
【請求項４】
前記パルス波形の電源は１０００〜１００００Ｖ、瞬間ピーク電流は５００〜３０００Ａ、パルス波形の幅は２０〜３５０μｓであることを特徴とする、請求項２に記載の水処理方法。
【請求項５】
前記紫外線ランプにはキセノンまたはクリプトンの非活性気体が充填されることを特徴とする、請求項１に記載の水処理方法。
【請求項６】
パルス紫外線を放射する紫外線ランプを用いて水を消毒することを特徴とする、消毒システム。
【請求項７】
前記パルス紫外線はパルス波形の電源を紫外線ランプに印加して発生させることを特徴とする、請求項６に記載の消毒システム。
【請求項８】
前記紫外線ランプは１００〜１０００ｔｏｒｒで充填されることを特徴とする、請求項７に記載の消毒システム。
【請求項９】
前記パルス波形の電源は１０００〜１００００Ｖ、瞬間ピーク電流は５００〜３０００Ａ、パルス波形の幅は２０〜３５０μｓであることを特徴とする、請求項７に記載の消毒システム。
【請求項１０】
前記紫外線ランプにはキセノンまたはクリプトンの非活性気体が充填されることを特徴とする、請求項６に記載の消毒システム。
【請求項１１】
パルス波形の電源を紫外線ランプに印加してパルス紫外線を発生させ、このパルス紫外線を用いて廃水内の過酸化物を分解して廃水を処理することを特徴とする、廃水処理システム。
【請求項１２】
前記パルス波形の電源はパルス型パワーサプライを用いて発生させることを特徴とする、請求項１１に記載の廃水処理システム。
【請求項１３】
前記パルス波形の電源は１０００Ｖ〜３０００Ｖの電圧を用いることを特徴とする、請求項１１に記載の廃水処理システム。
【請求項１４】
前記紫外線ランプには不活性気体が充填されることを特徴とする、請求項１１に記載の廃水処理システム。
【請求項１５】
廃水出入部、紫外線反応槽、紫外線ランプ、ランプにパルス波形電源を提供するパワーサプライ、過酸化物およびｐＨ調節用薬品投入器、並びに制御部を含み、ここで、パワーサプライは電圧１０００Ｖ〜３０００Ｖ、ピーク電流１０００Ａ〜１５００Ａのパルス波形電源を提供することを特徴とする、廃水処理システム。
【請求項１６】
前記紫外線ランプにはキセノンまたはクリプトンの気体が５００〜１０００ｔｏｒｒの圧力で充填されることを特徴とする、請求項１５に記載の廃水処理システム。
【請求項１７】
前記過酸化物は過酸化水素であることを特徴とする、請求項１５に記載の廃水処理システム。
【発明の詳細な説明】
【技術分野】
【０００１】
本発明は、パルス紫外線を用いた水処理装置に係り、より詳しくは、高出力、高透過性パルス紫外線を放出するパルス紫外線ランプを用いた水処理装置に関する。
【背景技術】
【０００２】
紫外線（ＵＶ）を用いて飲用水における、大腸菌を含んだ各種病原性細菌、病原性原生動物を消毒する工程が開発されている。Ｂｏｌｔｏｎ等に許可された米国特許第６，５６５，８０３号は、飲用水におけるクリプトスポリジウムオーシスト(Cryptosporidium oocystes)、ジアルジアシスト(Giardia cysts)などの病原菌を紫外線で消毒する方法を開示している。紫外線を用いた消毒方式は、既存の塩素消毒とは異なり、例えば発癌物質などの副産物の発生がないという利点がある。また、難分解性物質の処理のための化学的処理技術の一環として、過酸化水素と紫外線を組み合わせた酸化工程が開発されている。
【０００３】
このような紫外線を用いて水または廃水を処理する方式としては、低圧水銀ランプを用いた水処理方式と、中圧水銀ランプを用いた水処理方式が用いられている。低圧水銀ランプを用いた水処理技術では、水銀気体を約０．００７ｔｏｒｒ（標準ランプ）〜０．７６ｔｏｒｒ（低圧高出力）程度の低い気圧で充填して２５４ｍｍの光を約４０％まで発生させるランプを使用するが、このランプは、産業で一般に多く用いられるランプの一つであって、標準ランプとも呼ぶ。通常の水銀ランプの場合、出力が約１５〜６０Ｗと低いので、適用範囲が家庭や実験用などと極めて制限的であって商用化には限界があり、高濃度および難分解性の物質、例えば廃水の処理には適用し難いという問題があった。これにより、多くのランプ製造会社と適用会社の研究開発によって次第に出力を高めてくることにより、現在は、１２０Ｗ以上の低圧高出力ランプが一般に殺菌に使用されており、３２０Ｗまで出力を出すことが可能なランプも登場している。ランプの長さは約１．２〜２ｍと様々である。また、高出力の場合、ランプの表面温度が１２０〜２００℃に達するため、別途の冷却設備が必要であるという欠点がある。
【０００４】
中圧水銀ランプは、充填気体が水銀と同一であるが、充填圧力を３００ｔｏｒｒ以上と大きく高めることにより、低圧水銀ランプより一層高い数百〜数千Ｗの高い出力を出すように製造されたランプである。ところが、水銀気体の紫外線再吸収現象によってＵＶＣの発生効率が大幅低下し、殺菌波長を含んだ全体ＵＶＣの発生効率が１５％以下であるという欠点を持っている。また、ランプの表面温度が６００〜８００℃であるため、ランプを冷却させる多量の冷却水を供給する設備が追加されて施設費が増加し、ランプの寿命が短くてメンテナンス費用も共に増加するという問題がある。
【０００５】
また、中圧水銀ランプは、低圧水銀ランプに比べて出力が上昇したにも拘らず、依然として透過長さが短くて商用化には限界がある。その理由は、紫外線が廃水を透過する程度は紫外線ランプの出力に比例するが、中圧水銀ランプの出力では１０ｃｍ以上の透過距離を確保することが難しいため、大量の廃水処理システムに適用するにおいて、多数のランプを使用する場合、莫大な設備費がかかるうえ、ランプ毎に設置しなければならない冷却装置の数も増えるためである。
【０００６】
したがって、中圧水銀ランプより一層高いランプ出力を提供しながらも冷却装置を必要としない新しいシステムに対する要求が続けられている。
【発明の概要】
【発明が解決しようとする課題】
【０００７】
本発明の目的は、パルス紫外線を用いた水処理方法を提供することにある。
【０００８】
本発明の他の目的は、パルス紫外線ランプを用いた水処理装置を提供することにある。
【０００９】
本発明の別の目的は、パルス紫外線を用いた水の消毒方法を提供することにある。
【００１０】
本発明の別の目的は、パルス紫外線ランプを用いた水の消毒装置を提供することにある。
【００１１】
本発明の別の目的は、パルス紫外線を用いて廃水を処理する方法を提供することにある。
本発明の別の目的は、パルス紫外線ランプを用いた廃水処理装置を提供することにある。
【課題を解決するための手段】
【００１２】
上記目的を達成するために、本発明は、パルス紫外線を用いて水処理する方法を提供する。
【００１３】
本発明において、前記パルス紫外線は、紫外線ランプにパルス波形の電源を印加して発生させる。前記パルス波形の電源は、当業者に公知の方式を用いて発生できる。発明の一実施において、前記パルス波形の電源は、ＤＣ電力供給器によって供給された電源が蓄電器に蓄積された後、蓄電器に蓄積された高エネルギーの電流がパルス発生器によってパルス波形に転換され、紫外線ランプに印加されるように発生できる。発明の他の一実施において、前記パルス波形の電源は、パルス波形の電源を発生させ得るパワーサプライ(power supply)を紫外線ランプに連結して運転することにより発生できる。パルス波形の電源を発生させ得るパワーサプライは、前述の方法によって製作することができる。
【００１４】
本発明において、前記紫外線ランプにパルス波形の電源が印加される場合、電圧が高くなるとき、低い電圧を使用するときより大きい出力を発生させることができるので、ランプが耐えられる限度内で電圧を昇圧して使用することが好ましい。発明の実施において、前記電圧は、十分な出力を提供することができるように１０００〜１００００Ｖの電圧を使用することが好ましい。電源が低くなると、出力が低くなって十分な出力を得ることができなくなり、あまり高くなると、使用されるランプに過負荷がかかるという問題がある。発明の好適な一実施例において、前記電圧は、１０００Ｖ以上の電圧を使用することが好ましく、より好ましくは１５００Ｖ以上の電圧を使用することがよい。
【００１５】
理論的に限定されるのではないが、ランプの出力が上がる場合、発光する短波長の紫外線が多量発生して過酸化物および／または廃水の分解に容易に作用することができ、微生物のＤＮＡ損傷に有利に作用することができる。
【００１６】
本発明において、前記紫外線ランプにパルス波形の電源が印加される場合、電流が大きくなるときに大きい出力を発生させることができるので、前記パワーサプライが発生させ得る最大限の瞬間ピーク電流を使用することが好ましい。発生する紫外線から消毒処理に十分な出力を提供し、有用なＵＶＣの量を高めることができるように５００〜３０００Ａの電流を使用することが好ましい。発明の好適な一実施例において、前記電流は約５００Ａ以上の瞬間ピーク電流を使用することが好ましい。
【００１７】
本発明に係るパルス型電源において、パルスの幅が狭い場合、同一のエネルギーでパルスのピーク値を高め、且つ紫外線の効率を上昇させてＵＶＣの分布を高くする役割を果たすことができるようにする。発明の実施において、発生する紫外線から消毒処理に十分な出力を提供して有用なＵＶＣの量を高めることができるように、パルス幅は２０〜３５０μｓに維持することが好ましい。パルス幅があまり広い場合には効率が低下し、パルス幅があまり狭い場合には出力が減少するという問題がある。発明の好適な一実施例において、前記パルスの幅は与えられた範囲内で使用することが好ましい。
【００１８】
本発明に係るパルス型電源において、前記パルスの頻度は、前記紫外線ランプが使用される環境を考慮して調節することができるが、ランプの温度を自然冷却可能な範囲内とすることが好ましい。発明の好適な一実施例において、前記パルスは秒当り１２回程度となるように調整することが好ましい。
【００１９】
本発明において、前記紫外線ランプは、透過効率のよい材質、好ましくは石英またはサファイアを使用することが好ましく、使用環境に応じて様々な形に成形可能である。本発明の実施において、前記紫外線ランプは、発生した紫外線の再吸収を防止して多量の紫外線を発生させ得るように非活性気体で充填される。発明の一実施において、好ましい非活性気体としてはキセノン(xenon)またはクリプトン(krypton)を充填させることがよい。本発明の実施において、前記紫外線ランプに充填されるキセノンまたはクリプトン気体は、充填気体の量を増やしても再吸収現象がないため、充填圧力を高めることができるが、充填圧力が高い場合に同一の紫外線効率を得るためにはさらに大きい出力のパワーサプライが要求されるので、１００〜１０００ｔｏｒｒ程度の圧力で充填して使用することが好ましい。
【００２０】
本発明の一側面において、前記水処理は、水の消毒処理である。本発明において、前記水は浄水、下水または海水である。
【００２１】
本発明において、前記水の消毒処理は、パルス紫外線を放射して浄水、下水および海水などの水中で原生動物、細菌、動・植物プランクトンなどの微生物を消毒処理することである。理論的に限定されるのではないが、放射された紫外線が微生物のＤＮＡに損傷を与えて消毒する方式で行われる。
【００２２】
本発明において、前記消毒処理は、パルス紫外線を放射するランプが取り付けられた消毒処理システムで行われる。発明の一実施において、前記消毒処理システムは、紫外線ランプが取り付けられた紫外線反応槽を含み、前記紫外線ランプにパルス電源を印加することによりパルス紫外線が放射される。前記紫外線反応槽には、紫外線の透過長さと紫外線反応槽の大きさを考慮して一つまたは多数のランプが設置され、処理対象水が流入し且つ処理水が流出する出入口が設置されるうえ、紫外線ランプにパルス電源を印加するパワーサプライが設置される。本発明に係る消毒処理システムは、回分式、半回分式、または連続式で処理することができ、大容量の浄水、下水および海水を処理するために連続式処理方式を使用することが好ましい。
【００２３】
本発明の一側面において、前記水処理は、難分解性物質を含む廃水を処理するためのことである。
【００２４】
本発明において、前記廃水の処理は、パルス紫外線の放射によって過酸化物を分解して廃水を処理する方法で行われる。前記過酸化物は、紫外線によって分解されてラジカルを形成し、有機物と反応して汚染源を分解することができる限りは特別な制限はない。好ましくは過酸化水素である。
【００２５】
理論的に限定されるのではないが、廃水内に紫外線が照射されると、廃水に投入されている過酸化水素とプロトンがモル対モルの割合で反応して２モルのＯＨラジカルが生成され、生成されたＯＨラジカルは過酸化水素、ＨＣＯ３−、ＣＯ３２−、Ｏ２−、有機物と連鎖的に反応しながら酸化反応が連鎖的に起って有機物が分解される。
【００２６】
本発明において、前記水処理は、パルス紫外線を発生させて過酸化物を分解して廃水を処理するシステムで行われ得る。
【００２７】
本発明に係る廃水処理システムは、紫外線ランプが取り付けられる紫外線反応槽を含み、紫外線反応槽には、廃水が流入し且つ処理済みの廃水が流出する出入口が設置される。前記紫外線反応槽には、パルス紫外線ランプが取り付けられるが、紫外線の透過長さと紫外線反応槽の大きさを考慮して一つまたは多数のランプが設置できる。好ましくは、紫外線反応槽に全体的に紫外線が照射されるように、中央に一つのランプを設置することが好ましい。
【００２８】
本発明に係る廃水処理システムは、紫外線反応槽に流入する廃水、または排出される処理済みの廃水のｐＨを調節することができるように、ｐＨ調節器を設置することが好ましい。前記ｐＨ調節用薬品は、酸性薬品と塩基性薬品の組み合わせからなってもよく、強酸基および強塩基を用いてｐＨを調節することが好ましい。好適な一実施例において、前記ｐＨ調節用薬品は硫酸および水酸化ナトリウムである。
【００２９】
本発明において、前記廃水処理システムでは、パルス紫外線によって分解される過酸化物、好ましくは過酸化水素を投入する装置が含まれる。
【００３０】
過酸化水素の投入量は廃水の濃度によって決定できる。
【００３１】
本発明に係る廃水処理システムは、回分式、半回分式、または連続式で廃水を処理することができ、大容量の廃水を処理するために連続式廃水処理方式を使用することが好ましい。
【００３２】
本発明に係る廃水処理システムは、紫外線反応槽に設置された紫外線ランプにパルス電源を印加するためのパワーサプライを設置することが好ましい。
【００３３】
本発明に係る廃水処理システムは、紫外線反応槽に流入する廃水量、紫外線反応槽から流出する廃水量、紫外線ランプ、パワーサプライ、並びにｐＨおよび過酸化物の量を調節することが可能な制御部をさらに含むことが好ましい。
【００３４】
本発明の他の一実施において、前記廃水の処理は、パルス紫外線が直接汚染源を分解して除去する方法を提供する。過酸化物は、紫外線によって分解し易いため、汚染源を分解する媒介物として使用することができるが、紫外線自体が汚染源を分解することもできる。
【発明の効果】
【００３５】
本発明によれば、パルス紫外線を用いて水を処理する方法を提供する。このようなパルス紫外線を用いる水処理方式は、従来の中圧水銀ランプを用いる方式に比べて高出力を出しながらも稼動途中で自然冷却が行われるので、別途の冷却装備を必要としない。また、高出力のパルス紫外線は、透過性が良いため、濁度の高い廃水で効果的に過酸化物を分解することができ、飲用水のように清い水では透過範囲が広いため、多量の水の消毒処理が可能になる。その結果、廃水または下水の単位体積当り必要なランプの数が減少し且つ冷却装置が不要になり、同一の水を処理するための設備費用が減少する。
【図面の簡単な説明】
【００３６】
図１は本発明に係るパルス紫外線ランプを用いた水処理装置を示す構成図である。
【００３７】
図２は本発明に係るパルス紫外線ランプを用いた廃水処理装置を示す構成図である。
【００３８】
図３は図２の廃水処理装置を示す詳細図である。
【発明を実施するための形態】
【００３９】
以下に添付図面を参照しながら、本発明について詳細に説明する。
【００４０】
水の消毒処理
【００４１】
図１は本発明に係る高出力のパルス紫外線ランプを、浄水、下水および海水を含む水の処理に適用するためのシステムを示す。図１に示したシステムは、紫外線反応槽１、前記反応槽に処理対象の水を流入させる流入部５、および処理水を排出させる流出部６を含んでなる。さらに、紫外線ランプにパルス型電源を供給するパワーサプライ２、およびこれらを制御する制御部３を含んでなる。紫外線反応槽でパルス方式の紫外線ランプが設置された地点４を中心として照射される紫外線によって、原生動物、細菌、動・植物プランクトンの消毒が行われる。１つの反応槽には、処理水の種類と特性に応じてランプの数を調節することができ、滞留時間に応じて、流入した処理水が経由する反応槽の数も調節することができる。紫外線反応槽を経た処理水は、次の反応槽にさらに投入されるか、或いは流出部６を介して放流される。この反応槽に設置されたランプを稼動するパワーサプライ２は、反応槽の上部に付着させてもよく、別途の空間に配置してもよい。ランプへの電力供給は、パワーサプライの送出部分を介して電力線を経て行われる。この反応槽の形態または構造は、パルス紫外線ランプの稼動のために設計されたものであって、設置位置または対象処理水の特性に応じてランプの数および反応槽の諸元を様々に変化させることができる。
【実施例】
【００４２】
実施例１
図１に示した装置において、キセノン気体が充填された紫外線ランプに、パルス型パワーサプライを用いて、稼動電圧約２０００Ｖ、瞬間電流約１０００Ａ、パルス幅２５０μｓｅｃおよび秒当り稼動回数１２回のパルス波電源を印加した。浄水場沈殿地流入水に前記パルス波電源を印加した、大腸菌および一般細菌に対する殺菌実験結果を表１に示す。
【００４３】
【表１】
2010510873.tif 000003
【００４４】
表１より、本消毒装置を３秒間稼動したところ、大腸菌の場合には９９．９９％以上、一般細菌の場合には約９８％の除去率を示すことが分かった。
【００４５】
実施例２
同一条件のパルス波を下水処理場の放流水に適用した結果を表２に示す。
【００４６】
【表２】
2010510873.tif 000004
【００４７】
表２より、本消毒装置を３秒間稼動したところ、大腸菌の場合には９７．９％程度の除去率を示すことが分かった。
【００４８】
実施例３
同一条件のパルス波を海水の大腸菌殺菌実験に適用した結果を表３に示す。
【００４９】
【表３】
2010510873.tif 000005
【００５０】
表３より、本消毒装置を稼動したところ、海水中の大腸菌の場合には３０ｃｍの照射距離、３秒の稼動時間でも９９．９８％以上の処理効率を示すことが分かった。
【００５１】
実施例４
実施例１と同様のパルス波を代表的な病原性原生動物であって、塩素消毒に最も強い耐性を持つものと知られているクリプトスポリジウムバルブムオーシスト(Cryptosporidium parvum oocyst)試料に適用した。この原生動物に対して脱嚢実験を用いた生死判別と細胞培養法を用いた感染性除去率の結果をそれぞれ表４と表５に示す。
【００５２】
【表４】
2010510873.tif 000006
【００５３】
【表５】
2010510873.tif 000007
【００５４】
表４より、クリプトスポリジウムオーシストの脱嚢有無による生死判別実験の結果、生きているオーシストの比率が初期には９０．７％であるが、１０ｃｍの距離で１０秒間紫外線処理した後ではその比率が１３．６％に減少することが分かった。
【００５５】
また、表５より、クリプトスポリジウムオーシストの感染性除去率を実験した結果、３秒の紫外線照射後に略１００％の感染性除去率を示すことが分かる。結局、表４より、比較的多い比率のオーシストが生きていても、感染性は９９．９５％以上除去されるので、本パルス紫外線装置は代表的な塩素耐性病原性原生動物であるクリプトスポリジウムのオーシストに対しても効果的に消毒することが分かった。
【００５６】
一方、パルス形式の紫外線装置と既存の商用化された低圧水銀ランプに対するクリプトスポリジウム感染性の除去について比較実験した結果を表６に示す。
【００５７】
【表６】
2010510873.tif 000008
【００５８】
実験結果、既存の低圧水銀ランプ装置は、１０ｃｍの照射距離でも約５０〜６０％の感染性除去率を示すが、３０ｃｍの照射距離では感染性の除去が殆ど発生しないことが分かった。これは、パルス紫外線装置から３０ｃｍまでの距離でも９９．９５％以上の感染性除去率を示すことと比較して、パルス紫外線装置が一層優れた性能を有し、有効消毒距離が著しく長いことを示した。
【００５９】
水の廃水処理
図２に示したシステムは、紫外線ランプが取り付けられた紫外線反応槽１２と、前記反応槽に廃水を流入させる廃水流入部１０と、廃水を排出させる廃水流出部１５とを含んでなる。また、本システムは、流出する廃水のｐＨを調節するための薬品、例えば硫酸および水酸化ナトリウム、並びに紫外線によって分解されて有機物を分解するための過酸化水素を投入するための薬品投入設備１１、紫外線ランプにパルス型電源を供給するパワーサプライ１３、およびこれらを制御する制御部１４をさらに含んでなる。薬品の混合のために、ラインにラインミキサー２２が設置される。前記制御部は、ラインに設置されたｐＨチップ３を用いてラインのｐＨを制御する。
【００６０】
図３を参照して紫外線反応槽を詳細に考察すると、過酸化水素が混合され且つｐＨが適正の範囲に調節された廃水が流入し（２０）、この廃水は反応槽の底に設置された流入部のバッフル２１を経て反応槽に投入される。パルス紫外線ランプが設置された地点（２２）を中心として照射される紫外線によって過酸化水素が分解されながらＯＨラジカルが多量発生し、このＯＨラジカルが有機物を酸化させて除去する。１つの反応槽には廃水の種類と特性に応じてランプの数を調節することができ、必要な滞留時間に応じて、流入した廃水が経由する反応槽の数も調節することができる。紫外線反応槽を経て処理された廃水は、上部バッフル２３を経て次の反応槽にさらに投入されるか、或いは流出部２６を介して放流されまたは次の工程にさらに投入される。この反応槽に設置されたランプを稼動するパワーサプライ４０は、反応槽の上部に取り付けてもよく、別途の空間に配置してもよい。ランプに対する電力の供給電力は、パワーサプライの背面の送出部分を介して電力線（図示せず）を経て行われる。この反応槽の形態または構造は、パルス紫外線ランプの稼動のために設計されたものである。よって、設置位置または対象廃水の特性に応じて、ランプの数や反応槽の諸元などは様々に変化させることができる。
【００６１】
実施例５
図示の装置において、キセノンが充填された紫外線ランプに、パルス型パワーサプライを用いて、稼動電圧約１８００Ｖ、瞬間電流約１０００Ａ、稼動時間１５０μｓｅｃおよび秒当り稼動回数１０回のパルス波電源を印加した。
実施例５は本発明に係る水処理装置を製鋼会社の廃水に適用したものであり、その実験結果は表７に示す。
【００６２】
【表７】
2010510873.tif 000009
【００６３】
表７より、ＣＯＤ−Ｍｎの場合は約９０．１％、ＣＯＤ−Ｃｒの場合は約９１．２％の除去率を示すことが分かった。
【００６４】
実施例６
実施例６は本発明に係る水処理装置を半導体廃水に適用したものであり、その試験結果は表８に示す。
【００６５】
【表８】
2010510873.tif 000010
【００６６】
表８より、除去対象のＣＯＤ−Ｃｒが本発明の水処理装置を介して８６．３％程度除去されることが分かった。
【００６７】
以上の実施例は水処理装置の適用例に過ぎないものであって、本発明は特定の飲用水または廃水に限定されない。
【図１】
2010510873.tif 000011
【図２】
2010510873.tif 000012
【図３】
2010510873.tif 000013
【国際調査報告】
2010510873.tif 000014
2010510873.tif 000015